(57)【要約】  【課題】電源が切断されてカレンダークロックの日付や時刻が消失し、これらを再設定する場合でもユーザーの設定操作の負担を削減できる電子機器を提供する。  【解決手段】交流電源４が切断されることにより電源部２８の電圧が低下したタイミングやキー操作が行われたタイミング、又は所定周期のタイミングで現在の日時を不揮発性メモリである記憶部１３に記憶させ、電源が復旧した時にカレンダークロック１４の日時が消失していた場合、ユーザーの操作により年月日と時刻の再設定を行う。この時、再設定の年月日と時刻の初期値として、記憶部１３に記憶させた所定のタイミングにおける日時データを表示部１１に表示させ、現在の日時と異なる桁のみを操作・修正する。【選択図】図１
2013011525.tif 000002
【特許請求の範囲】
【請求項１】
ユーザーの操作を受け付ける入力手段と、同ユーザーに対する表示を行う表示手段と、内部に備えたカウンタにより日時を計時する時計手段と、データを記憶する不揮発性の記憶手段と、これらを制御する制御手段と、各手段に電源を供給する電源手段とを備えた電子機器であって、
前記制御手段は、所定のタイミングで前記時計手段から前記カウンタ値である日時データを読み出して同日時データを前記記憶手段に記憶し、
前記制御手段は前記電源が投入されて起動した後、前記時計手段から読み出した日時データ値が異常状態であると判断した場合、
前記記憶手段から読み出した前記日時データを前記表示手段に表示させ、ユーザーによる日時の修正を前記入力手段を介して日時修正データとして取り込んで、同日時修正データによって前記日時データを修正すると共に修正された同日時データを前記表示手段に表示させ、同修正された日時データを前記時計手段に書き込んで計時を開始することを特徴とする電子機器。
【請求項２】
前記電源の電圧低下を検出して前記制御手段に通知する電圧監視手段を設け、
前記制御手段は、前記電圧監視手段を介して前記電源の電圧低下の開始を検出した場合、この検出タイミングを前記所定のタイミングと認識して、前記制御手段と前記記憶手段と前記時計手段のいずれかの動作限界電圧に前記電源の電圧が低下する前に前記時計手段から前記日時データ読み出して同日時データを前記記憶手段に記憶することを特徴とする請求項１記載の電子機器。
【請求項３】
前記制御手段は、前記所定のタイミングとして予め設定されている所定周期の開始または終了のタイミングを前記所定のタイミングと認識して前記時計手段から日時データ読み出して同日時データを前記記憶手段に記憶することを特徴とする請求項１記載の電子機器。
【請求項４】
前記交流電源の供給が停止した時に前記時計手段に電力を供給するバックアップ手段を設け、
前記制御手段は、前記記憶手段から読み出した前記日時データに、前記バックアップ手段による前記時計手段の日時データを保持可能な時間である動作保持時間を加算して前記表示手段に表示させることを特徴とする請求項１乃至請求項３のいずれかに記載の電子機器。
【発明の詳細な説明】
【技術分野】
【０００１】
本発明は、カレンダークロックを備えた電子機器に係わり、より詳細には、カレンダークロックの電源が再投入された場合の日付・時刻の設定に関する。
【背景技術】
【０００２】
従来、電子機器、例えば空気調和機のリモコンにカレンダークロックを備えたものがある。この空気調和機は各々にワイヤードリモコンを備えた複数の室内機と、室外機とが通信線を介して接続されている。複数のワイヤードリモコンのうち特定の１台にはバックアップ用の電池が搭載されており、この電池で特定のワイヤードリモコンのカレンダークロックのみをバックアップしている。
【０００３】
このため、室内機の電源が切断されて、バックアップされていないそれぞれのワイヤードリモコンのカレンダークロックの日時データが消失したとしても、室内機の電源が投入された時点で通信線を介して特定のワイヤードリモコンから現在の日時データを入手して、バックアップされていないそれぞれのワイヤードリモコンのカレンダークロックに対して現在の日時を再設定するようにしている（例えば、特許文献１参照。）。
【０００４】
このように、日付や時刻の設定操作を省略することができるため、ユーザーの日時設定操作の手間を省くようにしている。また、バックアップ用の電池のメンテナンスや交換は特定の１台のみでよいため、他のワイヤードリモコンに対してはバックアップ用の電池のメンテナンスや交換が不要となり、コストダウンを図ることができる。
【０００５】
一方、カレンダークロックが１つしかない場合は、上述した方法が使用できないため、バックアップ機能を持たない、もしくは、短時間しかバックアップできない廉価な電子機器では日時データが失われた場合、固定の日時データからなる初期データを表示し、ユーザーに対して年月日と時刻設定を促すようにし、設定された日時データで計時動作を再開するようにしている（例えば、特許文献２参照。）。
【０００６】
しかしながら、特許文献１の方法は、例えばバックアップ用の電池が消耗して日時データが失われた場合は、再度、ユーザーによる日時データの設定が必要であるためユーザーに負担となっていた。
また、特許文献２の方法は電源の瞬断や、コンセントを抜いて一時的に機器を移動した場合などに毎回、年月日と時刻の設定が必要であり、ユーザーに負担となっていた。
【先行技術文献】
【特許文献】
【０００７】
【特許文献１】特開平８−２７１０２３号公報（第４−５頁、図１）
【特許文献２】特開２００８−２０９７０号公報（第５−６頁、図１）
【発明の概要】
【発明が解決しようとする課題】
【０００８】
本発明は以上述べた問題点を解決し、電源が切断されてカレンダークロックの日付や時刻が消失し、これらを再設定する場合でもユーザーの設定操作の負担を削減できる電子機器を提供することを目的とする。
【課題を解決するための手段】
【０００９】
本発明は上述の課題を解決するため、ユーザーの操作を受け付ける入力手段と、同ユーザーに対する表示を行う表示手段と、内部に備えたカウンタにより日時を計時する時計手段と、データを記憶する不揮発性の記憶手段と、これらを制御する制御手段と、各手段に電源を供給する電源手段とを備えた電子機器であって、
前記制御手段は、所定のタイミングで前記時計手段から前記カウンタ値である日時データを読み出して同日時データを前記記憶手段に記憶し、
前記制御手段は前記電源が投入されて起動した後、前記時計手段から読み出した日時データ値が異常状態であると判断した場合、
前記記憶手段から読み出した前記日時データを前記表示手段に表示させ、ユーザーによる日時の修正を前記入力手段を介して日時修正データとして取り込んで、同日時修正データによって前記日時データを修正すると共に修正された同日時データを前記表示手段に表示させ、同修正された日時データを前記時計手段に書き込んで計時を開始することを特徴とする。
【００１０】
また、前記電源の電圧低下を検出して前記制御手段に通知する電圧監視手段を設け、
前記制御手段は、前記電圧監視手段を介して前記電源の電圧低下の開始を検出した場合、この検出タイミングを前記所定のタイミングと認識して、前記制御手段と前記記憶手段と前記時計手段のいずれかの動作限界電圧に前記電源の電圧が低下する前に前記時計手段から前記日時データ読み出して同日時データを前記記憶手段に記憶することを特徴とする。
【００１１】
また、前記制御手段は、前記所定のタイミングとして予め設定されている所定周期の開始または終了のタイミングを前記所定のタイミングと認識して前記時計手段から日時データ読み出して同日時データを前記記憶手段に記憶することを特徴とする。
【００１２】
さらに、前記交流電源の供給が停止した時に前記時計手段に電力を供給するバックアップ手段を設け、
前記制御手段は、前記記憶手段から読み出した前記日時データに、前記バックアップ手段による前記時計手段の日時データを保持可能な時間である動作保持時間を加算して前記表示手段に表示させることを特徴とする。
【発明の効果】
【００１３】
以上の手段を用いることにより、本発明による電子機器によれば、
請求項１に係わる発明は、時計手段の日時データが消失した場合でも、所定のタイミングで事前に電子機器内に記憶しておいた日時データを基にしてユーザーが日時データの一部を修正するだけでよいので、ユーザーの日時データの設定操作を簡略化することができる。
【００１４】
請求項２に係わる発明は、所定のタイミングとして交流電源の供給停止を検出して制御手段に通知する電圧監視手段を設けているため、時計手段の日時データ消失から電源の復旧による日時データの再設定までの時間が短くなり、この結果、ユーザーの日時データの設定操作を簡略化することができる。
【００１５】
請求項３に係わる発明は、所定のタイミングとして予め設定された日時データによって決定された周期を用いるため電圧監視手段が不要であり、請求項２の構成よりも安価に構成できる。
【００１６】
請求項４に係わる発明は、時計手段と共にバックアップ手段を用いている場合、記憶させていた日時データに動作保持時間を加算して用いるため、所定のタイミングにおける日時データ値と電源の復旧による日時データの再設定値との値の差が小さくなり、この結果、ユーザーの日時データの設定操作を簡略化することができる。
【図面の簡単な説明】
【００１７】
【図１】本発明によるエアコンの実施例を示すブロック図である。
【図２】本発明による日時設定操作を説明するためのワイヤードリモコンの説明図である。
【図３】本発明による日時設定の動作原理を説明するタイムチャートである。
【図４】本発明によるワイヤードリモコンの動作を説明するフローチャートである。
【発明を実施するための形態】
【００１８】
以下、本発明の実施の形態を、添付図面に基づいた実施例として詳細に説明する。なお、この実施例では電子機器としてエアコンを用いた例を記載しているが、時計機能を備えた電子機器であれば種類は問わない。
【００１９】
本発明では所定のタイミング、例えば交流電源が切断されることにより直流電源の電圧が低下したタイミングやキー操作が行われたタイミング、又は所定周期のタイミングで現在の日時を不揮発性メモリに記憶させ、電源が復旧した時にカレンダークロックの日時が消失していた（異常状態の）場合、ユーザーの操作により年月日と時刻の再設定を行う。この時、再設定の年月日と時刻の初期値として、不揮発性メモリに記憶させた所定のタイミングにおける日時データを用いることが特徴である。なお実施例１では所定のタイミングが直流電源の電圧が低下したタイミングである場合を、実施例２では所定のタイミングが所定周期毎である場合を説明する。
【実施例１】
【００２０】
図１はエアコン８０の要部ブロックを示している。図１に示すようにエアコン８０は室内機２０と、これに接続されたワイヤードリモコン１０と、室外機３０とで構成されている。
室内機２０は、ワイヤードリモコン１０とリモコン接続線１のうち通信線３を介してデータ通信を行う室内機通信部２１と、室内の温度を検知する室温センサ２７と、室温センサ２７の検知信号を入力する室温センサ入力部２５と、室外機３０と通信を行う通信部２２と、送風ファンモータ２３と、上下風向板用ステッピングモータ２４と、これらを制御する室内機制御部２６と、交流電源４を入力して直流電源Ｖｃｃを出力する電源部２８とを備えている。なお、電源部２８は電源線２を介してワイヤードリモコン１０へ直流電源Ｖｃｃを供給している。この電源部２８は交流電源４が遮断されない限り、室内機２０が運転停止状態（待機状態）であってもワイヤードリモコン１０へ電源を供給し続けるようになっている。
【００２１】
一方、ワイヤードリモコン１０は、ユーザーによって操作されたキーの状態を入力する入力手段であるキー入力部１２と、同キー入力部１２で操作された内容に従って、室内機２０へ指示データを送信したり、室内機２０からの通信データを受信するリモコン通信部１６と、年月日と時刻とを計時するカウンタを備えた時計手段であるカレンダークロック１４と、いろいろな情報を液晶表示パネルに表示する表示手段である表示部１１と、キー入力部１２で指示された設定温度や後述する日時データなどを記憶する不揮発性メモリ、例えばＥＥＰＲＯＭからなる記憶手段である記憶部１３と、これらを制御するプログラムを内蔵したマイコンを備えた制御手段であるリモコン制御部１５と、電源線２で供給される直流電源Ｖｃｃの電圧を監視することで交流電源４の切断を監視する電圧監視手段である電圧監視部１９とを備えている。なお、直流電源Ｖｃｃはワイヤードリモコン１０内の電源として使用される。
【００２２】
さらに、直流電源Ｖｃｃは電圧監視部１９へ接続される他、ダイオード１８のアノード側に接続され、ダイオード１８のカソード側はカレンダークロック１４の電源端子に接続されている。また、ダイオード１８のカソード側にはバックアップ手段であるコンデンサ１７のプラス側が接続され、同コンデンサ１７のマイナス側はグランドへ接地されている。従って、コンデンサ１７に電荷が蓄積されていれば、直流電源Ｖｃｃの供給が絶たれたとしても、一定期間、例えば１時間だけカレンダークロック１４を動作させることができる。なお、電源線２は２本で構成されており、一本は直流電源Ｖｃｃ、もう一本はグランド線として用いられる。この電源線２と通信線３とでリモコン接続線１を構成している。
【００２３】
以上の構成においてリモコン制御部１５は、交流電源４が切断されて電源部２８の直流電源Ｖｃｃの電圧が予め規定したＶｃｃ低下検出閾値よりも低下したことを電圧監視部１９を介して検出すると、現在の年月日と時刻とからなる日時データをカレンダークロック１４から読み出して、これを記憶部１３に記憶させる。
【００２４】
そして、交流電源４が復旧して動作を開始したリモコン制御部１５は、カレンダークロック１４の日時データを読み出して、もしカレンダークロック１４の日時が消失、つまり異常状態の日時データ値になっていた場合、ユーザーに対して年月日と時刻の再設定を行うように指示するメッセージと、再設定の年月日と時刻の初期値とを表示部１１に表示する。この時、再設定の年月日と時刻の初期値として、記憶部１３に記憶させた交流電源４が切断された直後の年月日と時刻のデータを表示部１１に表示し、ユーザーによる日時の修正操作をキー入力部１２を介して受け付けて、受け付けた操作に従って交流電源４が切断された直後の年月日と時刻のデータを修正し、この修正された日時データをカレンダークロック１４に書き込んで時刻の計時を開始させる。
【００２５】
なお、リモコン制御部１５は、直流電源Ｖｃｃの電圧が低下した時に記憶部１３にその時の日時データを書き込むが、このデータが参照されるのは、前述したようにカレンダークロック１４の日時データが消失し、かつ、リモコン制御部１５に電源が供給されて動作を開始する時のみである。それ以外の場合は通常の電源投入処理になる。
【００２６】
図２はワイヤードリモコン１０を用いて日付と時刻を設定する手順を示す説明図である。ワイヤードリモコン１０は正面上部に表示部１１を、また、正面の中央から下部にキー入力部１２を備えている。キー入力部１２には日付と時刻の各値を増加／減少させて選択する上下キー１０ａと、年、月、日、時、分の各設定対象を順次ローテーションして選択する確定キー１０ｂが備えられている。なお、設定対象は表示部１１上のカーソルで選択されており、確定キー１０ｂを押下するとカーソルで選択表示している値が確定されると共に、カーソルが年、月、日、時、分の順に１つずつローテーション移動する。
【００２７】
また、表示部１１の表示エリア内には、年号数値１０ｃと月数値１０ｄと日数値１０ｅと時数値１０ｆと分数値１０ｇとが表示されると共に、ユーザーによる日時設定操作により、これらの値を変更してカレンダークロック１４に現在日時として設定することができる。
【００２８】
例えばエアコン８０を運転中に室内機２０に供給される交流電源４が２０１１年２月２８日の１１時４５分に切断された場合、カレンダークロック１４は前述したように、コンデンサ１７に蓄積された電荷により、１時間程度、つまり、２０１１年２月２８日の１２時４５分頃まで時刻を計時しているが、その後、電圧不足のため計時が停止すると共に、カウントしていた日時データが不定（異常状態）となって現在の時刻データが消失してしまう。
【００２９】
一方、２０１１年２月２８日の１２時５５分に交流電源４が復旧した場合、室内機２０の電源部２８から直流電源Ｖｃｃの供給が開始され、カレンダークロック１４は年月日と時刻が不定のまま時刻の計時を開始する。一方、リモコン制御部１５は直流電源Ｖｃｃの供給開始により、内部に格納されているプログラムのスタート番地からプログラムの実行を開始する。そしてこのプログラムの実行によって逐次処理が実行される。なお、詳細な処理内容は後でフローチャートを用いて別途説明する。
【００３０】
交流電源４が復旧した場合、リモコン制御部１５はまず最初にカレンダークロック１４の日時データを読み出して、この日時データが正常な場合は短時間の停電であったと判断して通常の動作、つまり、待機状態と認識してユーザーによる指示動作を待つ。
一方、読み出したカレンダークロック１４の日時データが不定（異常）の場合、リモコン制御部１５は図２に示すようにユーザーに対して年月日と時刻の再設定を行うように指示するメッセージと、再設定の年月日と時刻の初期値とを表示部１１に表示する。
【００３１】
この時、リモコン制御部１５は、初期値として表示されるデータとして、交流電源４が切断された時、つまり、電源部２８の直流電源Ｖｃｃの電圧が低下した時に記憶部１３に記憶した『２０１１年２月２８日１１時４５分』の値に、コンデンサ１７に蓄積された電荷でカレンダークロック１４が動作していたと思われる１時間（設計値）を加算する。この結果『２０１１年２月２８日１２時４５分』の値が初期値としてワイヤードリモコン１０の表示部１１に表示される。
【００３２】
従ってユーザーは、この値を修正して現在の日時に合わせるため、現在の日時と異なる部分、つまり、分数値１０ｇを初期値の『４５』分から『５５』分へ上下キー１０ａを用いて数値を合わせると共に、確定キー１０ｂを用いて決定して現在の日時を設定する。
【００３３】
このように、所定のタイミング、例えば交流電源４が切断された日時を不揮発性メモリに記憶し、交流電源４が復旧した時点でこれを読み出して日時設定の初期値としているため、この初期値と現在の日時との異なる部分だけ変更操作すればよい。つまり、従来の方法であれば年月日と時間の桁も含めて再設定しなければならないが、本発明の場合、今の例では分の桁だけ設定すればよい。従ってユーザーの操作負担を軽減することがでる。
【００３４】
さらに交流電源４が復旧した時点で読み出した日時設定の初期値に対して、コンデンサ１７に蓄積された電荷でカレンダークロック１４が動作していたと思われるカレンダークロック動作保持時間（設計値）を加算するため、現在の日時に近い値にすることができ、さらに、ユーザーの負担を軽減することができる。
【００３５】
次に図３の本発明による日時設定のタイムチャートを用いて上記の動作原理を詳細に説明する。図３（Ａ）は室内機２０の電源部２８の出力電圧、図３（Ｂ）はワイヤードリモコン１０のコンデンサ１７の電圧、図３（Ｃ）はワイヤードリモコン１０の電圧監視部１９の出力、図３（Ｄ）は記憶部（ＥＥＰＲＯＭ）１３の読み書き動作、図３（Ｅ）はカレンダークロック１４の動作、図３（Ｆ）はユーザーによる日時修正設定操作、図３（Ｇ）は日時記憶初期設定操作で予め設定された日時データによる所定周期、をそれぞれ示している。なお、日時記憶初期設定操作については実施例２にて説明する。
【００３６】
まず、交流電源４の切断時間がカレンダークロック動作保持時間（１時間）以内の場合を説明する。交流電源４が切断されると、図３（Ａ）に示すように電源部２８の出力電圧Ｖｃｃが徐々に低下する。また、カレンダークロック１４は継続して動作しているため、図３（Ｂ）に示すようにコンデンサ１７の電圧も徐々に低下する。
【００３７】
電圧監視部１９は常に出力電圧Ｖｃｃを監視しており、この出力電圧がＶｃｃ低下検出閾値、例えば出力電圧Ｖｃｃが＋５ボルトの場合、この閾値を＋４．８ボルトに規定しておく。従って、電圧監視部１９は出力電圧Ｖｃｃが＋４．８ボルト未満となった時、図３（Ｃ）に示すように、電圧監視部１９の出力がハイレベル（Ｖｃｃ低下未検出）からローレベル（Ｖｃｃ低下検出）に変化する。
【００３８】
リモコン制御部１５は、電圧監視部１９の出力のハイレベル（Ｖｃｃ低下未検出）からローレベル（Ｖｃｃ低下検出）の変化が有った時、現在の日時データである日時（ａ）をカレンダークロック１４から読み出して、図３（Ｄ）に示すように記憶部（ＥＥＰＲＯＭ）１３に書込を行う。この書込が終了した時点では図３（Ａ）に示すように、電源部２８の出力電圧はリモコン制御部動作限界電圧、例えば２．８ボルト以上あるため、正常に動作している。そして、電源部２８の出力電圧がリモコン制御部動作限界電圧以下に低下すると、リモコン制御部１５は動作を停止する。
なお、電源部２８の出力電圧がＶｃｃ低下検出閾値からリモコン制御部動作限界電圧に至る時間は記憶部（ＥＥＰＲＯＭ）１３の書き込み時間より長くなるように設計されている。また、当然のことながらワイヤードリモコン１０内の各部の動作限界電圧は、リモコン制御部動作限界電圧よりも低い値となるように設計されている。
【００３９】
そして、例えば交流電源４が切断されてから４０分後（日時（ｂ））に交流電源４が復旧した場合、電源電圧ＶｃｃはＶｃｃ低下検出閾値以上に復帰し、リモコン制御部１５内のプログラムにおけるスタート番地から動作を再開する。この場合、図３（Ｂ）に示すようにコンデンサ１７の電圧はカレンダークロック動作限界電圧、例えば２．３ボルト以下に低下することがなかったので、図３（Ｅ）に示すように時刻更新は正常に行われている。このため、前述したようにリモコン制御部１５は、カレンダークロック１４から読み出した日時データが正常であるため、日時の初期設定を行わずに通常の動作に復帰する。
【００４０】
次に交流電源４の切断時間がカレンダークロック動作保持時間（約１時間）以上の場合を説明する。交流電源４が切断された後の動作は前述した通りであり、切断された時の日時データである日時（ｃ）が記憶部（ＥＥＰＲＯＭ）１３に書き込まれる。そして約１時間が経過すると図３（Ｂ）に示すようにコンデンサ１７の電圧はカレンダークロック動作限界電圧以下に低下し、図３（Ｅ）に示すように時刻更新は停止する。なお、カレンダークロック１４内部の日時データ値も不定（異常状態）となる。
【００４１】
その後、交流電源４が復旧すると、図３（Ｅ）に示すようにカレンダークロック１４内部の日時データ値が不定のまま時刻の更新が開始される。リモコン制御部１５は、カレンダークロック１４の日時データを読み出して内容が不定の場合、つまり、少なくともエアコン８０の生産開始年度以前や、生産開始年度から４０年以上経過している、又は月のデータが１３以上、日のデータが３２以上等あり得ない値を検出したら、カレンダークロック１４の日時データ値が異常状態となり正しいデータが消失したと認識する。これ以外の値ならば正常と認識する。
【００４２】
なお、カレンダークロック１４内部の日時データの正常／異常の判断方法は上記以外にもあるため、カレンダークロック１４の仕様により適宜変更してもよい。例えばカレンダークロック１４の供給電源がカレンダークロック動作限界電圧以下になった後、この供給電圧が復旧した場合、日時データ値を初期値（固定値）に変更するものや、日時データを初期値にしないで日時データが不定である旨を表すフラグを立てるものなど、各カレンダークロック１４の仕様に合わせて日時データの正常／異常の判断を行うようにする。
【００４３】
リモコン制御部１５は、読み出した日時データが不定（異常状態）の場合、図３（Ｄ）に示すように記憶部（ＥＥＰＲＯＭ）１３から交流電源４が切断された時間、つまり、日時（ｃ）のデータを読み出す。そして、この読み出した日時データにカレンダークロック動作保持時間である１時間を加算し、この結果を日時設定の初期値として表示部１１に表示してユーザーによるこの初期値修正を待つ。
【００４４】
リモコン制御部１５はユーザー操作による日時修正のデータを取り込んで、このデータによって日時設定の初期値（日時データ）の修正を行う。そしてこの初期値修正が終了したら、この日時データをカレンダークロック１４に書き込む。この結果、カレンダークロック１４は現在の時刻から計時を開始する。
【００４５】
なお、本実施例ではコンデンサ１７によってカレンダークロック動作保持時間（約１時間）を実現しているが、このコンデンサ１７がない場合は、記憶部（ＥＥＰＲＯＭ）１３から交流電源４が切断された日時データを読み出して、この日時データをユーザーに対する日時設定の初期値としてもよい。
【００４６】
以上説明したように、カレンダークロック１４の日時データが消失した場合でも、所定のタイミングで事前にワイヤードリモコン１０内に記憶しておいた日時データを基にしてユーザーが日時データの一部を修正するだけでよいので、ユーザーの日時データの設定操作を簡略化することができる。
【００４７】
また、所定のタイミングとして交流電源の供給停止を検出して制御手段に通知する電圧監視部１９を設けているため、カレンダークロック１４の日時データ消失から電源の復旧による日時データの再設定までの時間が短くなり、この結果、ユーザーの日時データの設定操作を簡略化することができる。
【００４８】
また、カレンダークロック１４と共にコンデンサ１７を用いている場合、記憶させていた日時データに動作保持時間を加算して用いるため、所定のタイミングにおける日時データ値と電源の復旧による日時データの再設定値との値の差が小さくなり、この結果、ユーザーの日時データの設定操作を簡略化することができる。
【００４９】
次に、ワイヤードリモコンの動作を、図４に示すリモコン制御部１５の処理を表すフローチャートを用いて説明する。図４に記載のＳＴはステップを表し、これに続く数字はステップ番号を、また、ＹはＹｅｓを、ＮはＮｏをそれぞれ表している。
【００５０】
リモコン制御部１５は、交流電源４が投入されて電源部２８から電源電圧Ｖｃｃが供給されてプログラムの所定番地から起動するとまず最初に、カレンダークロック１４の内容（日時データ）を読み出して、この内容が不定（異常状態）か確認する（ＳＴ１）。これは前述したように、カレンダークロック１４の内容が日時データで取りうる値か否かで判断する。カレンダークロック１４の内容が不定の場合（ＳＴ１−Ｙ）、記憶している日時データを記憶部１３から読み出す（ＳＴ２）。
【００５１】
そして、この日時データに、コンデンサ１７の蓄電によるカレンダークロック１４の動作保持時間、本実施例の場合は１時間を加算する（ＳＴ３）。次にこの加算結果を日時設定の初期値データとして表示部１１に表示する（ＳＴ４）。次にユーザーによる日時変更の操作を待ち（ＳＴ５）、操作により変更された日時データをカレンダークロック１４に書き込む（ＳＴ６）。
【００５２】
次にユーザーによるキー操作があるか確認する（ＳＴ７）。ユーザーによるキー操作がある場合（ＳＴ７−Ｙ）、電源オン／オフや温度設定、運転モード切り替え指示などのリモコンとしての通常の操作であるため、キー操作に対応した指示データをリモコン通信部１６を介して室内機２０へ送信する通常の機能を実行する。または、設定操作による設定値の記憶を実施する（ＳＴ１０）。そしてＳＴ７へジャンプする。
【００５３】
ユーザーによるキー操作がない場合（ＳＴ７−Ｎ）、所定のタイミングか確認する（ＳＴ８）。この実施例１の場合、所定のタイミングとは交流電源４が切断された場合を示しており、電圧監視部１９の出力信号がハイレベルからローレベルになったことで検出できる。所定のタイミングの場合（ＳＴ８−Ｙ）、カレンダークロック１４の日時データを読み出して、これを記憶部１３へ記憶する（ＳＴ９）。そして、ＳＴ７へジャンプする。
【００５４】
一方、ＳＴ８で所定のタイミングでない場合（ＳＴ８−Ｎ）、ＳＴ７へジャンプする。また、ＳＴ１でカレンダークロック１４の内容が不定でない場合、つまり、正常な場合（ＳＴ１−Ｎ）、ＳＴ７へジャンプする。
【００５５】
なお、本実施例では電圧監視部１９で電源の低下を監視しているが、これに限るものでなく、室内機２０や室外機３０に電源電圧監視回路や交流電源４の状態監視回路などの電圧監視手段があれば、これらで検出した交流電源４の切断情報を通信線３を介してリモコン制御部１５に通知し、この情報をリモコン制御部１５が受信した時に現在の日時データを記憶部１３に書き込むことで、電圧監視部１９を用いないで同様の効果を得ることができ、結果的にコストダウンを図ることができる。
【実施例２】
【００５６】
前述したように実施例２では、現在の日時を記憶部１３へ書き込む所定のタイミングが所定時間毎である場合を説明する。なお、実施例１と実施例２とは一部の構成が異なるだけであるため、実施例１との相違点を挙げて、実施例２の説明を行う。従って、実施例２で特に説明しない構成については実施例１と同じであるため、詳細な説明を省略する。
【００５７】
実施例２では図１のワイヤードリモコンのブロック図において、電圧監視部１９は不要である。従って実施例２では図３（Ｃ）の信号は出力されない。
このため、現在の日時データを記憶部１３に書き込むタイミングは、リモコン制御部１５がカレンダークロック１４の日時データで判断する。なお、カレンダークロック１４の代わりに、図示しないが、時刻を計時するタイマーカウンタ（リモコン制御部１５に内蔵）を用いてもよい。
【００５８】
エアコン８０の設置時など運転を開始する前に、所定のタイミングとなる日時データを記憶部１３に書き込むタイミングを規定する日時記憶初期設定がユーザーの操作により行われる。日時記憶初期設定操作が行われない場合は毎日午後１２時に行われるようになっている。この場合は２４時間の周期（所定周期）で書き込まれることになる。リモコン制御部１５は、日時記憶設定操作があればその設定時間を記憶部１３に記憶し、カレンダークロック１４がそれぞれの時刻になったら現在の日時データをカレンダークロック１４から読み出して記憶部１３に書き込む。
【００５９】
次に図３を用いて以上説明した内容を具体的に説明する。なお、前提として日時記憶初期設定について、リモコン制御部１５がユーザーの設定値：１１時４５分をキー入力部１２を介して受け付けて、この時刻データを記憶部１３に書き込んでいるものとする。もし、ユーザーの設定値：４５分であれば毎時４５分に現在の日時データが記憶部１３に書き込まれる。
【００６０】
リモコン制御部１５は常にこの日時記憶初期設定の時間を監視して、図３（Ｇ）に示すように、２０１１年２月２７日１２時４５分である日時（ａ）になると現在の日時データを記憶部１３に書き込む。そして翌日の２０１１年２月２８日１２時４５分である日時（ｃ）になると、前日と同様に現在の日時データを記憶部１３に書き込む。
【００６１】
その後、図３（Ａ）に示すように電源部２８の出力電圧が低下した場合、カレンダークロック１４は、その動作保持時間の間は日時データを保持しているが、これを過ぎた１時間後にはその動作が停止して日時データが消失する。その後のワイヤードリモコン１０の動作は実施例１の場合と同様である。
【００６２】
以上説明したように、所定のタイミングとして予め設定された日時データによって決定された周期を用いるため電圧監視手段が不要であり、実施例１の構成よりも安価に構成できる。
【００６３】
次にワイヤードリモコンの動作を、図４に示すリモコン制御部１５の処理を表すフローチャートを用いて実施例１と異なる部分だけを説明する。前述したように実施例１との違いは所定のタイミングの検出だけである。
【００６４】
実施例１では所定タイミングは、交流電源４が切断されて電圧監視部１９の出力がローレベルになった時であったが、実施例２では予めユーザーが決めた日時記憶初期設定値、もしくは、予め定められた所定周期であるため、ユーザーによるキー操作がない場合（ＳＴ７−Ｎ）、所定のタイミングか確認する（ＳＴ８）。このため、リモコン制御部１５は、記憶部１３に記憶されている日時記憶初期設定値を読み出し、さらに、カレンダークロック１４から現在の日時データを読み出す。そして時刻が一致するか確認する。
【００６５】
この時刻が一致した場合が所定タイミングであるため、リモコン制御部１５は、所定のタイミングの場合（ＳＴ８−Ｙ）、カレンダークロック１４の日時データを読み出して、これを記憶部１３へ記憶する（ＳＴ９）。一方、所定のタイミングでない場合（ＳＴ８−Ｎ）、ＳＴ９をスキップしてＳＴ７へジャンプする。
【００６６】
このように実施例２では、電圧監視部１９で電源の低下を監視する必要がないため、実施例１よりもコストダウンを図ることができる。
【００６７】
なお、実施例２では予めユーザーにより指定された時刻や所定周期によって、記憶部（ＥＥＰＲＯＭ）１３に日時データを書き込む所定のタイミングが決定されているが、これに限るものでなく、ワイヤードリモコン１０のキー操作が行われた場合を所定のタイミングとしてもよい。
【００６８】
例えばエアコンやテレビ、オーディオ用リモコンの場合、ユーザーによりキー操作が行われると、キー入力部１２に対応したデータが記憶部１３に書き込まれるようになっている。このため、キー操作のタイミングを所定のタイミングとすることにより、同時に現在の日時データも合わせて記憶部１３に書き込むことになり、記憶部１３であるＥＥＰＲＯＭの書き込み回数の増加を防ぎ、ＥＥＰＲＯＭの寿命低減を防止することができる。
【００６９】
なお、実施例１及び実施例２はワイヤードリモコン内にキー入力部１２と記憶部１３と表示部１１とカレンダークロック１４と電圧監視部１９とこれらを制御するリモコン制御部１５とが存在するが、これに限るものでなく、それぞれが通信手段を介してデータの送受信が可能であれば電子機器や電子機器のシステム内のいずれの場所に有ってもよい。
【符号の説明】
【００７０】
１  リモコン接続線
２  電源線
３  通信線
４  交流電源
１０  ワイヤードリモコン
１０ａ  上下キー
１０ｂ  確定キー
１０ｃ  年号数値
１０ｄ  月数値
１０ｅ  日数値
１０ｆ  時間数値
１０ｇ  分数値
１１  表示部（表示手段）
１２  キー入力部（入力手段）
１３  記憶部（記憶手段）
１４  カレンダークロック（時計手段）
１５  リモコン制御部（制御手段）
１６  リモコン通信部
１７  コンデンサ（バックアップ手段）
１８  ダイオード
１９  電圧監視部（電圧監視手段）
２０  室内機
２１  室内機通信部
２２  通信部
２３  送風ファンモータ
２４  上下風向板用ステッピングモータ
２５  室温センサ入力部
２６  室内機制御部
２７  室温センサ
２８  電源部
３０  室外機
８０  エアコン
【図１】
2013011525.tif 000003
【図２】
2013011525.tif 000004
【図３】
2013011525.tif 000005
【図４】
2013011525.tif 000006